(57)【要約】  カミソリが、比較的短いか又は小さい柄部（２００）を有し、好ましくはエラストマー材料を含む実質的に平坦な円板状基材（５００）が、基材保持部材（４２０）内に保持されている。カミソリの柄部は本質的にコンパクトで円板形状であり、対向する指による種々の把持位置が可能となっている。カミソリの柄部は小さくて汎用性があり、封入可能ケース（８００）に容易に格納できるようになっている。
2016507343.tif 000002
【特許請求の範囲】
【請求項１】
カミソリであって、
ａ．少なくとも１つのブレードを有するカミソリカートリッジを含むヘッドユニットと、
ｂ．ドッキング部材及び把持部を含む柄部であって、前記把持部は前記ドッキング部材から遠位に離れて位置し、前記ドッキング部材は前記ヘッドユニットに接続し、把持部は、
ｉ．基材受入れ領域を形成する部分リングを少なくとも形成する基材保持部材と、
ｉｉ．前記基材受入れ領域内に保持された実質的に平坦な円板状基材であって、第１の指受入れ領域及び第２の指受入れ領域を前記基材の対向側面上に含む基材と、
ｉｉｉ．前記柄部の最大長は最大ヘッドユニット幅以下であることと、を含む柄部と、を含むカミソリ。
【請求項２】
前記基材はエラストマー基材である、請求項１に記載のカミソリ。
【請求項３】
前記エラストマー基材はドーム形で最下面は凹状窪みを形成する、請求項１又は２に記載のカミソリ。
【請求項４】
前記エラストマー基材はドーム形で第１の表面は凸部形状を形成する、請求項１〜３のいずれか一項に記載のカミソリ。
【請求項５】
前記把持部は、円形、楕円形、又は半円形から成る群から選択される２次元のカッコ形状を形成する、請求項１〜４のいずれか一項に記載のカミソリ。
【請求項６】
前記柄部に最も近い少なくとも１つの前記ブレードから前記柄部の対向する端部までの距離は、前記カミソリカートリッジの最大幅の約２倍よりも短い、請求項１〜５のいずれか一項に記載のカミソリ。
【請求項７】
前記柄部に最も近い前記ブレードから前記柄部の対向する端部までの距離は１．５倍よりも短い、請求項１〜６のいずれか一項に記載のカミソリ。
【請求項８】
前記カミソリは封入可能ケース内に収容され、前記封入可能ケースは任意的に、空気が前記ケースの内部と外部との間を通過できるように少なくとも１つの開口部を含んでいる、請求項１〜７のいずれか一項に記載のカミソリ。
【請求項９】
前記封入可能ケースはヒンジ留めされている、請求項１〜８のいずれか一項に記載のカミソリ。
【請求項１０】
前記カミソリは、内壁表面と外壁表面とを含む封入可能ケースを含むキットの一部としてパッケージされ、前記封入可能ケースは少なくとも１つの開口部を前記内壁表面と前記外壁表面との間に形成し、前記封入可能ケースは、前記カミソリを取り外し可能に格納することに適合した受入れ領域を形成する、請求項１〜９のいずれか一項に記載のカミソリ。
【請求項１１】
請求項１〜１０のいずれか一項に記載の剃毛に対するカミソリの使用。
【発明の詳細な説明】
【背景技術】
【０００１】
剃毛ハンドヘルドデバイスは、典型的には、ヘッドユニットヘッドとヘッドユニットの１つの端部に取り外し可能に又は取り外し不能に取り付けられた柄部と、を含んでいる。ハンドヘルドデバイスの柄部は、典型的には、剛性の細長いロッドである。最近、多くのハンドヘルドデバイスが、電池、電子部品、並びに香り袋などを収納していると説明されており、ハンドヘルドデバイスの柄部がより大きくより長くなりつつあることの一因となっている。例えば、Ｓｃｈｉｃｋ  Ｈｙｄｒｏ  Ｓｉｌｋ  Ｐｏｗｅｒ  Ｓｅｌｅｃｔハンドヘルドデバイス及びＧｉｌｌｅｔｔｅ  ＰｒｏＧｌｉｄｅ  Ｓｔｙｌｅｒトリマーを参照されたい。例えば、ＵＳＤ６４４７８９及び米国特許出願公開第２０１１／０２１９６２０号を参照されたい。これらのハンドヘルドデバイスは、市場にある大部分のハンドヘルドデバイスと同様に、細長い剛性柄部に依拠している。
【０００２】
多くのカミソリの柄部が金属及び／又はプラスチックから形成されているにもかかわらず、カミソリの外部に、より柔らかい把持材料を付加することも開示されている。米国特許、例えば、第７，９７５，３８９号、第７，８７４，０７６号、第５，４９７，５５１号を参照されたい。しかし、これらの柄部は、単に把持材料の外部表面層を本来は剛性の金属又はプラスチックの柄部に加えているだけである。把持材料を付加することは把持及び表面の感触の役に立つにもかかわらず、ほとんどの柄部は剛性のままであり細長い形状である。
【０００３】
柄部の形状が異なるハンドヘルドデバイスも説明されている。例えば、細長い楕円形状の柄部を有する柄部が説明され販売されている。例えば、ＵＳＤ３４９２４２、ＵＳＤ３６３１４２、ＵＳＤ３６４７０７、及びＵＳＤ３８１７６８を参照されたい。指を受入れるための円柱形の柄部を有する種々のハンドヘルドデバイスも説明されている。例えば、米国特許出願第２０１１／００１６７３４（Ａ１）号、米国特許第６，０１８，８７７号及び同第６，１１２，４２１号を参照されたい。便利でスペース節約のハンドヘルドデバイスも説明されている。例えば、米国特許出願第２０１１／００８８２６８（Ａ１）号を参照されたい。ここでは、長さが調整可能な連結式の柄部延長部分を伴うハンドヘルドデバイスが説明されている。またＷＯ  ９７／２５１８９では、２つのハンドヘルドデバイスヘッドが平坦な楕円形状の柄部に取り付けられたハンドヘルドデバイスが説明されている。米国特許出願公開第２０１２／００４２４７８号も参照されたい。更に、種々の形態のコンパクトハンドヘルドデバイスを容器内に格納することが説明されている。例えば、米国特許第１，２３４，８３４号を参照されたい。
【先行技術文献】
【特許文献】
【０００４】
【特許文献１】ＵＳＤ６４４７８９
【特許文献２】米国特許出願公開第２０１１／０２１９６２０号
【特許文献３】米国特許第７，９７５，３８９号
【特許文献４】米国特許第７，８７４，０７６号
【特許文献５】米国特許第５，４９７，５５１号
【特許文献６】ＵＳＤ３４９２４２
【特許文献７】ＵＳＤ３６３１４２
【特許文献８】ＵＳＤ３６４７０７
【特許文献９】ＵＳＤ３８１７６８
【特許文献１０】米国特許出願第２０１１／００１６７３４（Ａ１）号
【特許文献１１】米国特許第６，０１８，８７７号
【特許文献１２】米国特許第６，１１２，４２１号
【特許文献１３】米国特許出願第２０１１／００８８２６８（Ａ１）号
【特許文献１４】ＷＯ  ９７／２５１８９
【特許文献１５】米国特許出願公開第２０１２／００４２４７８号
【特許文献１６】米国特許第１，２３４，８３４号
【発明の概要】
【発明が解決しようとする課題】
【０００５】
説明した柄部にもかかわらず、柄部として、コンパクトな形状だが、把持部が容易に使用できて、種々の位置で取り扱えるものが依然として求められている。これが特に重要なのは、消費者が小さいデバイスを敏感な領域で用いたいと望む場合である。敏感な領域では、消費者は、２本の対向する指をデバイスの長さに対して種々の角度でデバイスを保つ必要がある場合がある。
【課題を解決するための手段】
【０００６】
本発明の一態様によって、カミソリであって、少なくとも１つのブレードを有するカミソリカートリッジと、ドッキング部材及び把持部を含む柄部であって、前記把持部は前記ドッキング部材から遠位に離れて位置し、前記ドッキング部材は前記ヘッドユニットに接続し、把持部は本質的に、基材受入れ領域を形成する部分リングを少なくとも形成する基材保持部材と、前記受入れ領域内に保持された実質的に平坦な円板状基材であって、第１の指受入れ領域及び第２の指受入れ領域を前記基材の対向側面上に含む基材とからなる、柄部と、を含む、カミソリが提供される。好ましくは基材はエラストマー材料を含んでいる。
【０００７】
本発明の別の態様によって、キットであって、内壁表面と外壁表面とを含む封入可能ケースであって、少なくとも１つの開口部を前記内壁表面と前記外壁表面との間に形成する、封入可能ケースと、本発明によるカミソリと、を含み、前記封入可能ケースは、前記ハンドヘルドデバイスを取り外し可能に格納することに適合した受入れ領域を形成する、キットが提供される。
【図面の簡単な説明】
【０００８】
【図１】本発明の少なくとも１つの実施形態によるデバイスの側面斜視図であり、デバイスの種々の部分が取り外して示されている図である。
【図２ａ】本発明の少なくとも１つの実施形態によるデバイスの種々の平面図である。
【図２ｂ】本発明の少なくとも１つの実施形態によるデバイスの種々の平面図である。
【図２ｃ】本発明の少なくとも１つの実施形態によるデバイスの種々の平面図である。
【図２ｄ】本発明の少なくとも１つの実施形態によるデバイスの種々の平面図である。
【図２ｅ】本発明の少なくとも１つの実施形態によるデバイスの種々の平面図である。
【図３ａ】保持部材が前記柄部内に形成されたデバイスの平面図である。
【図３ｂ】図３ａに示す柄部内に挿入するのに適したエラストマー基材を示す図である。
【図３ｃ】図３ａに示す柄部内に挿入するのに適したエラストマー基材を示す図である。
【図４】本発明のエラストマー基材に対して用いることができる種々の形状の二次元図である。
【図５ａ】本発明による２つの更なるデバイスの最上平面図である。
【図５ｂ】本発明による２つの更なるデバイスの最上平面図である。
【図６】把持部が保持部材を形成し、この保持部材が単に基材を保持するための部分リングを形成する、柄部を示す図である。
【図７ａ】本発明による他の２つのデバイスの側面図である。
【図７ｂ】本発明による他の２つのデバイスの側面図である。
【図８ａ】本発明による別の実施形態を示す図である。
【図８ｂ】本発明による別の実施形態を示す図である。
【図９ａ】本発明による更に別の実施形態の側面図である。
【図９ｂ】本発明による更に別の実施形態の側面図である。
【図１０ａ】本発明によるカミソリが封入可能ケース内にある斜視図である。
【図１０ｂ】本発明によるカミソリが封入可能ケース内にある斜視図である。
【発明を実施するための形態】
【０００９】
本発明は、ハンドヘルドデバイス、例えば、脱毛デバイス、剃毛カミソリ、又は歯ブラシ、筆記用具若しくは化粧用具、より好ましくは、剃毛カミソリであって、ヘッドユニットと柄部とを含むハンドヘルドデバイスに関する。柄部は、ヘッドユニットに取り外し不能に又は取り外し可能に接続するためのドッキング部材と把持部とを含み、前記把持部と前記ドッキング部材とは互いから遠位に離れて位置し、前記ドッキング部材は前記ヘッドユニットベースに取り外し不能に又は着脱可能に接続し、前記把持部はその中に少なくとも１つの基材を固定して又は取り外し可能に保持する。
【００１０】
把持部は基材保持部材を形成し、基材保持部材は基材受入れ領域を形成する。基材受入れ領域は、基材を保持することに適応した封入された開口部又は開いた受入れ領域とすることができる。好ましくは基材はエラストマー基材であるが、基材が剛性の中心部を有し、また一方又は両方の側面上で層状になっているエラストマー材料を有するように、基材をデザインすることも可能である。１つの実施形態では、保持部材は、少なくとも１つの開口部を形成する部分又は完全な周囲リングである。前記基材受入れ領域内に固定して又は取り外し可能に保持されるのは、基材である。一実施形態では、基材はエラストマー材料、例えば、エラストマーコーティングを含み、別の実施形態では、基材は本質的にエラストマーからなり、前記エラストマー材料から形成された一体ボディを形成している。
【００１１】
基材は、第１の指受入れ領域を形成する第１の（最上）表面と第２の指受入れ領域を形成する第２の（最下）表面とを含み、第１の表面は第２の表面と比べて基材の反対側にある。使用時に、第１の指受入れ領域に親指が接触することができ、一方で、第２の指受入れ領域に人差し指及び中指の一方又は両方が接触することができる。又は逆もまた同様であり、親指が第２の指受入れ領域上にある等である。
【００１２】
基材は、前記基材保持部材に固定して又は取り外し可能に取り付けられている。主要な把持部部品である柄部部分を動かすことにより、製造において可撓性を加えること可能になるため、これは特に有用である。そのため、製造者が、より堅いか又はより柔らかい柄部を所望する場合には、基材を変更することが可能である。またこの基材の構成部品の性質によって、消費者の好みに基づく変更を柄部の残りを変える必要なく行なうことが、例えば、基材内の材料を変えることによって又は表面処理を加えることによって可能である。把持部の残りを同じまま（例えば、保持部材）にすることができるが、柄部の見た目及び動作を非常に異なったものにすることができる。消費者が、自分達の使用上の必要性に基づいて、自ら基材を変えられるようにすることも有用な場合がある。例えば、ユーザーが濡れた石鹸を含んだ環境においてデバイスを用いる傾向がある場合には、彼又は彼女は把持が強化された基材を望む場合がある。しかし、ユーザーがより滑らかな見た目及び仕上げを好む場合には、外観が金属製又はクロムメッキされた基材を得ることができる。
【００１３】
基材がエラストマー基材である場合、特に望ましいユーザーの感触及び反応を得ることができる。理論に束縛されるものではないが、ハンドヘルドデバイスをそのような方法で用いることによって、柄部は、エラストマー材料によって対向する指から印加される力に対して動的抵抗が得られ、ユーザーから印加される力に対して適応及び反応がよい方法で反応することができると考えられる。実質上、エラストマー基材は、動く可撓性メンブレンであって、ユーザーが力をデバイスに印加できるようにしているが、それでもなお多少の弾力性の曲がり及び可撓性を有している。
【００１４】
柄部のボディ部分がエラストマー基材からなることの重要な効果の１つは、単に剛性の柄部の表面上にエラストマーコーティング層がある場合とは対照的に、エラストマー材料によって感触が柔らかくなり、柄部の全厚を通して感触を感じることができることである。エラストマー基材が第１及び第２の指受入れ領域を形成することに関係する性能向上の一部は、ユーザーの柄部に対する制御が強化される一方で、エラストマーの柔らかくて柔軟な性質から快適さが使用中維持されることである。更に、エラストマー基材は柔軟であるため、ユーザーは種々の領域又は角度でエラストマー基材上に力を印加することができるが、エラストマー基材は、ヘッドユニットがボディにどのように接触するかに基づいて自然に輪郭を示す。また、エラストマー材料上に適用できる任意の表面処理に起因して、エラストマー基材は把持を強化することできる。
【００１５】
１．ヘッドユニット
ヘッドユニットは、歯ブラシ、筆記用具又は化粧用具（例えば、ペン若しくは鉛筆）、あるいは広いこすり面（例えば、脱毛用）とすることができる。脱毛デバイスの非限定的な例としては、脱毛剤とともに用いるもの若しくは皮膚剥離用のもの、又はブレードユニットを伴うカミソリ（例えば、安全カミソリ）が挙げられる。脱毛ヘッドがカミソリカートリッジである場合、カミソリは電動式又は手動、使い捨て又は補充可能システムであってもよい。カミソリカートリッジはまた、複数のブレードを含んでいてもよい。例えば、米国特許第７，１６８，１７３号は、Ｇｉｌｌｅｔｔｅ  Ｃｏｍｐａｎｙから市販される、複数のブレードを備えるかみそりカートリッジを含む、Ｆｕｓｉｏｎ（登録商標）かみそりを一般的に説明する。更に、かみそりカートリッジはガード及び剃毛補助具を含み得る。様々なかみそりカートリッジが本発明に従って使用可能である。フィン、ガード、及び／又は剃毛補助具を伴い及び伴わない好適なカミソリカートリッジの非限定的な例としては、Ｇｉｌｌｅｔｔｅ  ＣｏｍｐａｎｙによってＦｕｓｉｏｎ（登録商標）、Ｖｅｎｕｓ（登録商標）製品ラインで販売されるもの、並びに米国特許第７，１９７，８２５号、同第６，４４９，８４９号、同第６，４４２，８３９号、同第６，３０１，７８５号、同第６，２９８，５５８号、同第６，１６１，２８８号、及び米国特許出願公開第２００８／０６０２０１号で開示されているものが挙げられる。ヘッドユニットはまた、ブラシ又は歯ブラシとすることができ（例えば、図６ｂに示すもの）、剛毛がヘッドユニットから離れるように延在している。
【００１６】
「前方」及び「後方」という用語は、本明細書で使用するとき、ブレードユニット（すなわち、かみそりカートリッジ）の機構間の相対位置を画定する。少なくとも１枚のブレードの「前方」の機構は、例えば、装置で処理される表面が少なくとも１枚のブレードと接触する前にその機構に接触するように配置される。例えば、装置が、その意図された切断方向にストロークされる場合、ガードはブレードの前方にある。ブレードの「後方」にある機構は、装置で処置される表面がブレードに遭遇した後で、その機構に遭遇するように位置決めされ、例えば、装置が、その意図された切断方向にストロークされる場合、キャップはブレードの後方に配置される。
【００１７】
１つの実施形態では、ヘッドユニットは、１つ以上のブレードと前記１つ以上のブレードの前方に位置するガードとを含むカミソリカートリッジであって、ガードはユーザーの皮膚と嵌合するための少なくとも１つの細長い可撓性の突出部を有するカミソリカートリッジである。一実施形態では、少なくとも１つの可撓性突出は、前記１つ以上の伸長された縁部に一般に平行である可撓性フィンを含む。別の実施形態では、前記少なくとも１つの可撓性突出は、前記１つ以上の伸長された縁部に一般に平行ではない少なくとも１つの部分を含む可撓性フィンを含む。好適なガードの非限定的な例としては、現在のかみそりのブレードに使用されるものが挙げられ、米国特許第７，６０７，２３０号及び同第７，０２４，７７６号（エラストマー性／可撓性フィンバーを開示）、第２００８／００３４５９０号（湾曲したガードフィンを開示）、第２００９／００４９６９５（Ａ１）号（上面と下面との間に延在する少なくとも１つの通路を形成するガードを有するエラストマー性ガードを開示）に開示されるものが挙げられる。
【００１８】
１つの実施形態では、ヘッドユニットは、少なくとも１つの皮膚嵌合部材（例えば、従来の剃毛補助具又は潤滑ストリップ）を含んでいる。皮膚嵌合部材の位置は、任意のブレードの前方及び／又は後方とすることができる。本明細書での使用に適した既知の皮膚コンディショニング組成物の非限定例には、米国特許第７，５８１，３１８号、同第７，０６９，６５８号、同第６，９４４，９５２号、同第６，５９４，９０４号、同第６，３０２，７８５号、同第６，１８２，３６５号、同第Ｄ４２４，７４５号、同第６，１８５，８２２号、同第６，２９８，５５８号、及び同第５，１１３，５８５号、並びに第２００９／０２２３０５７号に記載された剃毛補助及び潤滑ストリップが挙げられる。
【００１９】
ヘッドユニットは、柄部に固定して又は取り外し可能に取り付けられている。取り付けをヘッドユニットから柄部のドッキング部材までの直接取り付けとすることもできるし、又はヘッドユニットを相互接続部材に取り付けた後に、柄部のドッキング部材に接続することもできる。
【００２０】
２．柄部
ａ．把持部
柄部はドッキング部材と把持部とを含み、前記把持部は前記ドッキング部材から遠位に離れて位置し、前記ドッキング部材は前記ヘッドユニットに接続している、把持部は、少なくとも１つの受入れ領域を形成する基材保持部材を含んでいる。１つの実施形態では、基材保持部材は、１つ以上の基材を保持するのに適した開口部を画定するリングを形成している。保持部材は、完全リングを形成する必要はないが、それでもやはり基材を保持できる必要がある。また、保持部材は、完全リングを形成することはできるが、基材の周囲全体を包んではいない（すなわち、保持部材は完全に円形のリングを画定することができる一方で、基材は、半円、又はスルーホール若しくは他の通路を画定することができる他の空隙を形成している）。例えば、図５ａを参照して、基材５０２は空隙又はスルーホールを画定して、基材保持部材（この場合はリング）が基材の周囲全体を包むことがないようになっている。他の実施形態では、１つ以上の空隙又はスルーホールをエラストマー基材の種々の領域内に形成して、水路、又は使用中の異なる人間工学的反応及び感触を可能にすることができる。
【００２１】
ある特定の場合、例えば、基材がより剛性の場合には、完全に接続されたリングを形成することなく、保持部材を単に基材の一部に取り付けることが（例えば、接着剤又は機械的取り付けによって）、可能である。
【００２２】
１つの実施形態では、基材保持部材の一部にエラストマー把持材料をコーティングすることができる。これは、ユーザーが把持部全体にエラストマーの感触を望む場合に有用であり得る。１つの実施形態では、把持部の外部表面全体（ドッキング部材にもエラストマー基材にも接触していない表面）又は保持部材の外部表面に、１つ以上のエラストマー把持材料をコーティングする。これらのエラストマー把持材料は、当該技術分野で知られており、エラストマー基材で用いるように説明したエラストマー材料の多くを含んでいる。これは、基材内で用いるものと同じか又は異なるものとすることができる。
【００２３】
把持部は多くの異なる形状を有することができ、例えば、限定することなく、平坦な丸みを帯びた円板形状（保持部材が丸いコイン形状の基材を保持する）である。基材は、保持部材内に取り外し可能に又は固定して保持することができる。１つの実施形態では、基材はエラストマー基材であり、成形するかそうでない場合には直接鋳造して保持部材又は周囲リングにすることができる。代替的に、基材を別個の工程で形成した後に開口部内に収めることができる。基材を保持する種々の形態を用いることができる。取り外し可能な実施形態が要求される場合、基材を開口部内に、例えば、一部又は全体の保持部材に沿って設けられたさね継ぎ取り付け、１つ以上のピン及び受入れ孔を用いて圧力嵌めすることができるが、例えば、保持部材が、基材内に形成された対応する受入れ孔内に突出する１つ以上のピンを含む場合である。エラストマー基材を基材保持部材上に固定して保持するための種々の方法（例えば、限定することなく、接着剤を用いること、又は熱接着）が可能である。
【００２４】
ｂ．エラストマー基材
１つの実施形態では、基材は、エラストマー材料を含むか又は主にエラストマー材料で形成されている（本明細書ではエラストマー基材と言う）。本発明のエラストマー基材は、前記基材受入れ領域又は開口部内に保持されている。エラストマー基材は概ね広くて平坦な構造であり、円板又はコイン形状の形態とすることができる。エラストマー基材は、第１の指受入れ領域を形成する第１の表面と第２の指受入れ領域を形成する第２の表面とを含んでいる。
【００２５】
１つの実施形態では、エラストマー基材は、取り外し可能及び又は交換可能である。交換可能なエラストマー基材を用いれば、消費者は、種々の表面処理又は色から本人の必要に応じて選ぶことができる。例えば、ユーザーがより滑らかな仕上げでより低い摩擦を望む場合、滑らかな仕上げのエラストマー基材を選ぶことができる。対応して、ユーザーが、摩擦がもっと多くて把持がもっと簡単なものを望む場合（例えば、湿潤環境で用いるとき）は、摩擦を増加させるために浮き彫り又は表面処理がもっと多いエラストマー把持を選ぶことができる。エラストマー基材の硬さも変えることができるため、ユーザーは本人の要求する堅さ及び感触を選ぶことができる。更に、ユーザーは、基材が汚れるかそうでなければ使い古した場合に、基材を交換することが可能である。
【００２６】
一実施形態では、基材は保持部材から容易に取り外すことができ、例えば、適所にスライドさせて、離して取り外すのに少しの力を要するのみである。別の実施形態では、エラストマー基材は基材に固定して取り付けられていて、消費者によって容易に取り外し可能ではないが、取り外すことはできるようになっている（例えば、圧力嵌め又はさね継ぎ取り付け）。別の実施形態では、基材は前記保持部材に、例えば、熱接合又は接着剤によって、取り外し不能に取り付けられている。
【００２７】
一実施形態では、エラストマー基材は一体ボディである。一体ボディは、本明細書で定義する場合、その意味は、エラストマー基材が自立構造であって、支持梁も内部構造（例えば、エラストマー把持材料が剛性の柄部上で層状になっている他の柄部）も含まないということである。一体ボディは、１つの単一材料から形成する必要はなく、多層とすることができるが、全体をエラストマー材料で形成して、十分な力が一方の面に印加されても、一体ボディが全体として変形して曲がることが反対側で可能であるようでなければならない。実質上、エラストマー基材に取り付けられた保持部材の任意の部分の他に、柄部が更に剛性材料を必要とすることはほとんどない。基材のエラストマー性質によって、柄部は変形することができるが、それでもやはり、使用中にヘッドユニットに対してユーザー制御を行なうことが、望ましい人間工学的感触を伴って可能である。
【００２８】
１つの実施形態では、エラストマー基材は２つ以上のエラストマー材料層を含んでいる。これは、異なる材料が異なる弾力性及び硬さを有するときに、特に有用となり得る。多層は、同じ材料又は異なる材料とすることができる。一実施形態では、より堅い材料を中央層内で用いて、より柔らかい及び／又はより弾力性のある材料を、第１及び／又は第２の指受入れ領域を形成する層内で用いる。また１つ以上のコーティングをエラストマー基材上に適用して、例えば、特定の表面仕上げ又はテクスチャ又は色をもたらすこともできる。１つの実施形態では、エラストマー基材は単一層を含んでいる。
【００２９】
エラストマー基材として用いることができる好適な材料の非限定的な例としては、天然及び合成ゴム、ポリマー、例えば、高衝撃ポリスチレン（ＨＩＰＳ）、ポリプロピレン（ＰＰ）及びアクリロニトリルブタジエンスチレン（ＡＢＳ）、エラストマー、並びにこれらの混合物が挙げられる。
【００３０】
好適なエラストマー材料には、エラストマー又はエラストマーのブレンドが含まれる。把持領域１４で用いるのに適したエラストマーは、カミソリ及び歯ブラシ技術において良く知られている。一般的に、エラストマー材料は、１つ以上の熱可塑性エラストマー（ＴＰＥ）を含んでいる。好適なＴＰＥとしては、熱可塑性硬質ゴム（ゴムポリオレフィンブレンド）、ポリエーテルイミド、ポリエステル、スチレン−エチレン−ブチレン−スチレン（ＳＥＢＳ）ブロックコポリマー、スチレン−ブタジエン−スチレンブロックコポリマー、部分的又は完全に水素化されたスチレン−ブタジエン−スチレンブロックコポリマー、スチレン−イソプレン−スチレンブロックコポリマー、部分的又は完全に水素化されたスチレン−イソプレン−スチレンブロックコポリマー、ポリウレタン、ポリオレフィンプラストマー、ポリオレフィンプラストマー、スチレンのベースのポリオレフィンエラストマー、これらの相溶性混合物、及び同様の熱可塑性エラストマーが挙げられる。好ましいＴＰＥとしては、スチレン−エチレン−ブチレン−スチレン（ＳＥＢＳ）ブロックコポリマー、スチレン−ブタジエン−スチレンブロックコポリマー、部分的又は完全に水素化されたスチレン−ブタジエン−スチレンブロックコポリマー、スチレン−イソプレン−スチレンブロックコポリマー、及び部分的又は完全に水素化されたスチレン−イソプレン−スチレンブロックコポリマー（Ｓｈｅｌｌから商品名ＫＲＡＴＯＮゴムで市販）が挙げられる。特に好ましいのは、スチレン−エチレン−ブチレン−スチレン（ＳＥＢＳ）ブロックコポリマー（Ｓｈｅｌｌから商品名「Ｇ−Ｔｙｐｅ」ＫＲＡＴＯＮゴムで入手可能）である。前述のＴＰＥを改質することを、充填材（例えば、タルク）を用いて及び油を用いて行なってもよい。その結果、概ねエラストマーの硬さが低下するが、これは当該技術分野では良く知られている。他の好適なエラストマーとしては、弾性ウレタン及びシリコーンが挙げられる。エラストマーは以下から入手できる場合がある。Ａｒｋｅｍａ  Ｉｎｃ．（Ｐｈｉｌａｄｅｌｐｈｉａ，Ｐｅｎｎｓｙｌｖａｎｉａ）（例えば、Ｐｅｂａｘ（登録商標）２５３３）、Ｅ．Ｉ．ＤｕＰｏｎｔ  ｄｅ  Ｎｅｍｏｕｒｓ  ＆  Ｃｏ．（Ｗｉｌｍｉｎｇｔｏｎ，Ｄｅｌａｗａｒｅ）（例えば、Ｚｙｔｅｌ（登録商標）２１５８Ｌ）、Ｋｒａｔｏｎ  Ｐｏｌｙｍｅｒｓ  Ｕ．Ｓ．ＬＬＣ（Ｈｏｕｓｔｏｎ，Ｔｅｘａｓ）、及びＫｒａｉｂｕｒｇ  ＴＰＥ  Ｃｏｒｐ．（Ｄｕｌｕｔｈ，Ｇｅｏｒｇｉａ）（例えば、Ｋｒａｉｂｕｒｇ  ＨＴＣ８８５８）。
【００３１】
１つの実施形態では、エラストマー基材は、圧縮性の熱可塑性エラストマー材料（成形可能である）を含んでいる。好適な熱可塑性エラストマー材料は、スチレン、エチレン、及びブチレンを含むブロックコポリマーである。典型的な有用な熱可塑性エラストマーとしては、市販のポリオレフィン熱可塑性エラストマーポリマー、例えば、商品名「ＳＯＭＥＬ」でＥ．Ｉ．ＤｕＰｏｎｔ  ｄｅ  Ｎｅｍｏｕｒｓ  ＆  Ｃｏ．から販売されるもの、又は「ＴＥＬＣＡＲ」でＢ．Ｆ．Ｇｏｏｄｒｉｃｈ  Ｃｏ．から販売されるもの、又は「ＰＲＯＦＡＸ」でＨｅｒｃｕｌｅｓ  Ｉｎｃ．から販売されるものが挙げられる。ブロックコポリマー、例えば、商品名ＫＲＡＴＯＮ  ＤでＳｈｅｌｌ  Ｃｈｅｍｉｃａｌ  Ｃｏ．によって販売されるスチレン−ブタジエン−スチレンコポリマー、又は商品名ＫＲＡＴＯＮ  ＧでＳｈｅｌｌ  Ｃｈｅｍｉｃａｌ  Ｃｏ．によって販売されるスチレン−エチレン／ブチレン−スチレンコポリマーが特に好ましい。他の典型的な好適な熱可塑性エラストマーとしては、ポリエステル及びポリウレタン熱可塑性エラストマーが挙げられる。
【００３２】
１つの実施形態では、エラストマー材料の圧縮性指数（ＣＩ）値を約１０００〜約１８，０００ｇｍ／ｃｍとすることができる。圧縮性指数（ＣＩ）は、力／圧縮距離曲線の圧縮距離０．０２５ｃｍにおける勾配として定義され、後で説明する手順に基づいて測定する。ＣＩ値は、多くの市販及び実験的な指把持デバイスに対する被験者反応を伴う大規模な消費者試験データから得られている。消費者試験データを分析及び評価して、ある特定の指把持デバイスに対する被験者の高い評価及び容認を確実に予測するために使用できる何らかの共通因子が存在していたか否かを判定した。データの解釈が示すところによれば、ある特定のデバイスに対する好都合な被験者反応は、被試験デバイスによってもたらされる柔軟性及び圧縮性及び弾力性の特性の組み合わせに主に依存しているように見えた。これらの特性自体は、デバイスが得られるように選択された圧縮性材料及び構成の組み合わせに依存している。本発明によれば、密接な相関関係が、ＣＩ値と、デバイスの使用中に生じる快適さの増加及び疲労の低減を被験者が認知することとの間に存在することが分かった。
【００３３】
１つの実施形態では、熱可塑性エラストマーは極性及び疎水性である。熱可塑性エラストマーは、摩擦係数が約２．０〜約３．５の範囲（水で濡れた時）、粘着力が約３ｇ〜約１２ｇ（乾燥時）、及び／又はショアＡ硬度が約３５〜約５０とすることができる。Ｓｈｏｒｅ  Ａ  Ｄｕｒｏｍｅｔｅｒ  Ｉｎｓｔｒｏｎ  Ｍｏｄｅｌ  ９１３０−３５（Ｉｎｓｔｒｏｎ（Ｎｏｒｗｏｏｄ、Ｍａｓｓａｃｈｕｓｅｔｔｓ）から入手可能）を使用して、ＡＳＴＭ  ２２４０−００に従って、材料の硬度を室温及び摂氏３６度で試験する。摩擦及び粘着性測定を、米国特許出願公開第２０１２／０１６７４０１号に説明された方法に従って行なうことができる。また熱可塑性エラストマーを、添加剤、充填材、及び／又はゴム混合物又は変性剤とともに用いることもできる。好適な複合構造体、添加剤、及び／又は充填剤は、米国特許第３，９７２，５２８号に記載されている。例えば、添加剤は、以下の添加剤のうちの１つ以上であってもよい。パラフィン系ホワイトオイル、無機充填剤、エーテルエステル可塑剤、硫化鉱物油、アルケニルアミド、スチロール、ポリスチロール、ペトロラタム、ポリイソブチレン、ポリブテン、スチレン、エラストマースチレン、エチレン、ブチレン、最低造膜温度（ＭＦＦＴ）（例えば、１０℃以下）を有する水性カルボキシル化合成ポリマー、製造中にポリスチレンとの共凝集によって強化された低ＭＦＦＴ合成ポリマー、これらの組み合わせ、又は湿潤時に摩擦係数が高くて乾燥時に粘着性が低いエラストマー基材を実現するための任意の他の好適な添加剤。
【００３４】
エラストマー材料としては、スチレンブロックコポリマー、例えば、スチレン−エチレン−ブチレン−スチレン（ＳＥＢＳ）を挙げることができる。潜在的に好適なエラストマー材料の更なる例が以下の文献に開示されている。米国特許第４，９３２，８００号、同第７，１６０，５０８号、同第５，３１４，９４０号、同第５，６７０，２６３号、同第６，６１０，３８２号、及び同第６，９０４，６１５号、米国特許出願公開第２００２／０１１４９２０号、同第２０１１／０１４３１１２号、及び同第２０１２／０１６７４０１号。
【００３５】
用いるエラストマー材料のタイプに応じて、多少の剛性を基材に加えることが好ましい場合がある。１つの実施形態では、柄部は更に、基材受入れ領域を通って延びる１つ以上の支持梁を含んでいる。支持梁は、基材保持部材を形成するために用いる材料と同様に剛性とすることができる。しかし当業者であれば理解するように、ユーザーがより堅い感触を好む場合には、より堅いエラストマー材料を選ぶこともできる。
【００３６】
１つの実施形態では、１つ以上の支持梁は、保持部材の２つの領域に接続されている。１つの実施形態では、１つ以上の支持梁は、基材受入れ領域の中央領域を通って延びる直径を形成している。１つの実施形態では、少なくとも１つの支持梁は前記エラストマー基材内に完全に入っていて、支持梁のどの部分も、基材を形成するエラストマー材料を通して露出することがないようになっている。こうして、より柔らかくてより弾力性のある基材を用いているが、やはり第１及び第２の指受入れ領域がエラストマー材料の望ましい感触を保持する場合に、支持梁によって構造支持体を得ることが可能である。特に、支持梁は、既知のカミソリ（柄部のボディが主に剛性で、外部エラストマー又は把持コーティングが適用されている）とは異なっている。支持梁は、本発明で用いる場合、エラストマー基材の５０重量％を超えない範囲、好ましくは約４０％未満、好ましくは約２５％未満、好ましくは１０％未満を構成しなければならず、多くの場合に必要ではない。
【００３７】
１つの実施形態では、支持梁は前記エラストマー基材内の中央の背骨を形成している。中央の背骨は、本明細書で定義する場合、その意味は、支持梁が概ね、完全に組み立てられたデバイス（ヘッドユニットが取り付けられている）の重心を通過して又はその付近を通っているということである。複数の支持梁（平行か又はそうでない）を用いることもできる）。別の実施形態では、エラストマー基材は、何らの支持梁も必要とすることなくその構造安全性を保持する。エラストマー基材は、前述したように、１つ以上のエラストマー材料層とすることができる。好ましくは、人間によって検出可能な何らかの方法で、ユーザーが、対向する指受入れ表面上で１つの指受入れ表面上に印加した力を検知することができる一方で、デバイスは静止したままである。
【００３８】
ｃ．他の基材の詳細
基材は抗菌剤を含むこともできる。存在するならば、抗菌剤はイソチアゾリノンを含むことができる。抗菌剤は熱的に安定である。抗菌剤は、少なくとも５００ｐｐｍ、好ましくは約７００〜２０００ｐｐｍの濃度で存在する。抗菌剤の最少阻害濃度は１００ｐｐｍ未満である。抗菌剤は４，５−ジクロロ−２−ｎ−オクチル−４−イソチアゾリノン−３−オンを含んでいる。抗菌剤は抗真菌及び抗菌特性の両方を呈する。特定の抗菌剤の例としては、例えば、４，５−ジクロロ−２−ｎ−オクチル−４−イソチアゾリノン−３−オン（ＣｎＨ１７ＣＬ２ＮＯＳ；ＣＡＳ登録番号６４３５９−８１−５）が挙げられる。イソチアゾリノンは、例えば、Ｒｏｈｍ  ＆  Ｈａａｓ  Ｃｏｍｐａｎｙから市販されている。４，５−ジクロロ−２−ｎ−オクチル−４−イソチアゾリノン−３−オンは、約５０ｐｐｍ、分子量が２８２．２のＭＩＣを有し、熱的に安定である。これら及び他の抗菌剤が知られており、例えば、米国特許第７１６０５０８号で説明されているものを含む。
【００３９】
１つの実施形態では、基材は実質的に平坦である。基材をドーム形にして、最下面が凹状窪みを形成し最上面が凸部形状を形成するようにすることもできるし、又は最上及び最下表面を両方とも凹部形状にして、それらが基材の中心に向かって内側にテーパするようにすることもできる。最上及び最下表面を両方とも凸部形状にして、それらが球根状の基材を形成するようにすることもできる。球根状の基材では、基材は中心部分に向かってより厚く、周辺の周りでより薄い。
【００４０】
１つの実施形態では、柄部又はその一部（例えば、エラストマー基材のみ）を、サーモクロミック材料（例えば、米国特許第６，８６８，６１０号に示され説明されているもの）を用いてコーティングすることもできるし、又はこれを含むこともできる。これが特に満足のいくものとなり得るのは、消費者がカミソリを取り扱うときに美的変化を見たいと思うときであり、特に柄部が前述したようなエラストマー基材を有する場合である。
【００４１】
本発明の一実施形態によって、すでに組み立てた柄部から基材を交換するか又は変える方法が提供される。本方法は、本発明による柄部を得る工程と、柄部内に現時点で保持されている前記基材を取り外す工程と、取り外した基材と同じか又は異なる可能性がある第２の基材を得る工程と、前記第２の基材を基材保持領域内に保持する工程と、を含む。重要なことは、このプロセスは製造業者、サービス事業者、又は消費者それ自身によって行なえるということである。このような状況では、基材の補充品を販売すること、又は消費者がデバイスを購入するときに消費者に複数の基材を提供することが有用である場合がある。柄部を、完全に組み立ててその中に基材を保持して販売することもできるし、又は構成部品の様式で販売して、ユーザーが、基材を基材保持部材内に保持することによって柄部を組み立てることができるようにすることもできる。
【００４２】
デバイスを種々の組み合わせで販売することもできる。すなわち、１つの柄部に１つのヘッドユニット及び１つの基材が付いたもの、キットに複数のヘッドユニット、複数の基材、又は複数の柄部が付いたもの、を提供することができる。１つの実施形態では、キットは、１つの組み立て済みデバイス、ヘッド上の補充品、及び／又は交換基材からなる。
【００４３】
３．デバイス寸法
現在市場にある既存のカミソリ及び歯ブラシの柄部とは違って、本デバイスの柄部は比較的小さく、長いスティック状の形状ではない。理論に束縛されるものではないが、柄部がより短くなることによって、デバイスを取り扱うときにより器用になれると考えられる。実質上、重心はヘッドユニットにより近くなり、重量の分配がより均一になる。人間工学及び柄部能力を改善することは、柄部の把持部の実際の形状によっても助けられる可能性がある。好適な形状の非限定的な例が本明細書で開示されている。
【００４４】
１つの実施形態では、デバイスはカミソリであって、ヘッドユニット上のかみそりブレードから前記柄部の最も遠い部分までの最短距離が、前記ヘッドユニットの最大幅の約２倍よりも短く、好ましくは約１．５倍よりも短く、好ましくは１．２５倍よりも短い。カミソリの柄部がカートリッジ幅と比べて相対的に短いことは、あるユーザーに対して、人間工学、デザイン、取り扱い、又は格納の容易性などの点から好ましい可能性がある。別の実施形態では、柄部（ヘッドユニットを取り付けていない状態）の最大長は、ヘッドユニットの最大幅以下であるか、又は２：１〜１：１、好ましくは１．７５：１〜１．５：１である。好適な寸法の特定の割合を図に示す。
【００４５】
４．封入可能ケース
１つの実施形態では、容器ケースもデバイスを格納するために提供される。容器ケースは開いていることもできるし（例えば、カミソリトレイ又は保持器）、又はより好ましくは、封入可能であるためにデバイスを容器内に格納することができる。１つの実施形態では、封入可能ケースは少なくとも１つの開口部を含んでいて、空気がケースの内部と外部との間を通れるようになっている。これは特に、デバイスが使用間で乾燥している必要がある場合に有用である可能性がある。当業者であれば分かるように、デバイスが歯ブラシ又はカミソリである場合、デバイスを乾燥させて、バクテリア又は菌の増殖、悪臭、化学成分（例えば、潤滑補助）に対する悪影響などを回避できるようにすることが望ましい場合がある。したがって、一実施形態では、封入可能ケースは、１つ以上の開口部が別個の領域内に又はケースの全体に渡って一様に位置して、湿分及び水が蒸発してケースの内部から出ることが可能となっている。
【００４６】
封入可能ケースは、取り付けてもよいし又は取り外してもよいキャップ及びトレイを有することができる。取り付けられている場合、キャップ及びトレイをヒンジ留めすることもできるし又はスライド可能に取り付けることもできる。取り外されている場合、キャップを箱の蓋のようにトレイ上に閉じることができる。種々の形態の封入可能ケースが知られており、本明細書で説明したデバイスを収容するように変更することができる。キャップ及びトレイを取り付ける他の形態も、本発明の範囲内である。１つの実施形態では、封入されたケースは、ケースが閉位置にあるときに閉じたままでいるのに役立つ保持メカニズムを含んでいる。保持メカニズムは、さね継ぎ取り付け、磁石、ラッチングフック、スナップ嵌め、又は圧力嵌め閉じ等とすることができる。また封入可能ケースを、ユーザーが開けていないときに閉位置に留まるように付勢することも、例えば、バネ付勢部材又は磁石によって可能である。
【００４７】
５．図面
図１に示すのは、本発明の少なくとも１つの実施形態による分解されたハンドヘルドデバイスである。ハンドヘルドデバイスは、ヘッドユニット（１００）が柄部（２００）に取り外し可能に取り付けられている。柄部（２００）は構成部品を取り外した状態で示されている。柄部はドッキング部材（３００）を含み、これにヘッドユニットの解放を可能にする解放部材（３５０）が付いている。同様のドッキング部材が知られており、種々の補充可能なカミソリ柄部上で用いられている。また柄部は把持部（４００）を含んでいる。把持部（４００）は、ユーザーがデバイスを保持する第１の領域となるようにデザインされている。当業者であれば当然のことながら理解するように、ユーザーは個人の好みに基づいてデバイスの他の領域を保持することもできる。把持部（４００）は、基材保持部材（４２０）（ここでは周囲リングとして示す）がドッキング部材に機能的に取り付けられていて、ドッキング部材が柄部の把持部に取り外し可能に又は固定して取り付けられるようになっている。保持部材は、少なくとも１つの受入れ領域を形成しているが、ここでは、第１の指受入れ領域を形成する第１の表面（５１０）と第２の指受入れ領域を形成する第２の表面（５２０）とを有する基材（５００）を保持する開口部として示している。第１の表面及び第２の表面はエラストマー基材の対向側面上にあり、一実施形態では、組み立てられたデバイスのヘッドユニットが下を向いているときに、第１の表面は柄部の最上部を形成し、第２の表面は最下部を形成する。前述したように、基材は剛性とすることもできるし又はエラストマー基材とすることもできる。当業者であれば分かるように、他の種々のヘッドユニットを同じ柄部に取り付けることができるが、例えば、限定することなく、歯ブラシ、ミラー、化粧品塗布器などである。
【００４８】
図２ａ〜２ｅに示すのは、本発明の少なくとも１つの実施形態による完全に組み立てられたハンドヘルドデバイスの種々の角度である。ここで示すように、基材は種々の形態の表面処理を有することができるが、例えば、第２の表面（５２５）又は指配向ガイド（５１５）に示すような小突起である。また開口部、浮き彫り、窪み、止まり孔、又は他の種々の表面処理を、ユーザーに感触又は制御の改善をもたらすものは何か（特に、使用中に柄部が石鹸又は他の化学物質によって濡れているか又は滑りやすくなっている場合）に基づいて、基材の１つ以上の表面に形成することができる。図２Ａはデバイスの最下部の斜視図であり、図２ｂは最上部の斜視図である。図２ｃは平面底面図であり、図２ｄに示すのは局所的変化を第１の表面上に伴うデバイスの側面図である。１つの実施形態では、１つ以上の基材表面を滑らかにすることもできるし又は層状表面を有するようにすることもできる。図２ｅは平面図である。
【００４９】
図３ａに示すのは、本発明の少なくとも１つの実施形態によるデバイスの平面図であり、基材（例えば、図３ｂ又は３ｃに示すもの）は取り外されている。図３ｚに示すのは、支持梁（４５０）が開口部を柄部の主軸と略平行に通っている様子である。他の配向も本発明の範囲内である。支持梁の少なくとも一端が保持部材（ここでは周囲リングとして示す）（４２０）に取り付けられており、この実施形態では、両端とも前記リングに取り付けられている。またヘッドユニット幅（９２０）と、柄部に最も近いブレードから柄部の対向する端部までの距離も示す。ヘッドユニットがブレードを含まない場合、この後者の距離は、ドッキング部材の先端から柄部の対向する端部までの柄部の最大長として測定することができる。図３ｂに示すのは、図３ａに示す柄部とともに用いるのに適した取り外した基材である。支持梁が存在するであろう開口部（５５０）を示す。部材をこの状況で組み立てるために、基材を把持部に成形して、基材が支持梁の周りに形成されるようにすることが有用な場合がある。代替的に、図３ｃに示すのは２層基材（第１の層（５０２）と第２の層（５０５））である。図３〜９に示す基材には軽く斜線を引いて、柄部の保持部材と対比して見えるようにしている。
【００５０】
図示したように、柄部の把持部は略円形状を形成している。また把持部は、他の形状、例えば、円、楕円形、又は半円から成る群から選択される２次元のカッコ形状を形成することもできる。
【００５１】
図４に示すのは、基材及び／又は把持部に対して用いることができる種々の形状の２次元図である。
【００５２】
図５ａ及び５ｂは、本発明による２つの更なるデバイスの最上平面図である。これらのデバイスは、図示では、周囲リングが複数の開口部と１つ以上の基材（５０１）及び（５０１）（前記開口部内に保持されている）とを形成している。基材は、同じ又は異なる材料で形成することができ、同じ又は異なる表面処理を有することができる。基材の形成を、周囲リングへの直接鋳込み及び成形によって行なう場合、開口部を溝を介して接続することができる。こうして、基材を第１の開口部内に鋳込み、基材が両方の開口部内に流れ込んでそれらを同じ組成物で充填することが、必要に応じて可能である。
【００５３】
図６に示すのは、本発明による更に別のデバイスの平面図である。このデバイスは、ドッキング部材と把持部とを含む柄部であって、前記把持部は前記ドッキング部材から遠位に離れて位置し、前記ドッキング部材は前記ヘッドユニットに接続し、把持部は、基材受入れ領域（他の実施形態では、開口部とも言われる）を形成する部分リングを少なくとも形成する保持部材を含む柄部と、前記受入れ領域内に保持された基材（５００）と、を含む。基材を、エラストマー基材であって、第１の指受入れ領域を形成する第１の表面と、第２の指受入れ領域を形成する第２の表面と、を形成する、一体ボディとなるエラストマー基材とすることができる。エラストマー部材をカッコ形状に成形することができる（例えば、円板の形状に）。当業者であれば分かるように、円板は、基材が概ね丸みを帯びていて使用中に保持部材内に形成された受入れ領域内に保持され、また手によって容易に把持される限り、完全に円柱型である必要はない。
【００５４】
図７ａ及び７ｂは、本発明による２つの他のデバイスの側面図である。図６ａに示すデバイスは、柄部が湾曲して、基材が同様の曲線形状を有するものである。図７ｂに示すのは、柄部が概ね平坦で、基材が湾曲しているものである。当業者であれば分かるように、湾曲は、最上表面を見下ろしたときに凹状として示されるが、同じ視点から見たときに凹状にすることもできる。図７ｂのデバイスのヘッドユニットは、図示では、基材、剛毛、又はスポンジをヘッドユニット上に有している。
【００５５】
図８ａ及び８ｂは、本発明による別の実施形態を示す図である。ここで、基材は概ね平坦領域（中心に示すように）であって、エラストマー材料が付加されることで平坦領域と周囲リングとの間に柔軟な支持体又はメンブレンが設けられてもよい。これらの柔軟なメンブレンは、スピーカーコーン（中心要素が、周囲の剛性構造に接続するメンブレンによって吊るされている）と同様である。この場合、中心要素は指による把持用にデザインされた基材部分とすることができ、この部分の周囲は、柔軟なメンブレン（エラストマー及び可撓性の性質から選ぶことができる）とすることができる。同様の柔軟な材料が、ＷＯ  ２０１２／１５７６２４（可撓性メンブレンがカミソリカートリッジを吊るしていると示されている）に示されている。
【００５６】
図９ａ及び９ｂは、本発明による他の柄部の側面図である。図９ａでは、エラストマー部材は、図示では、柄部の中心から離れるようにうなっている。図９ｂでは、エラストマー部材は内側に変形している。凹状及び凸状構成の組み合わせを用いることもできる（すなわち、図６ａに示すように両表面が同様の形状に変形する）。
【００５７】
図１０ａに示すのは、本発明によるカミソリが、カミソリを収容する受入れ部分とヒンジ留め蓋とを有する封入可能ケース（８００）内にある上面斜視図である。図１０ｂに示すのは、同じ封入可能ケースの底面図であり、一組の開口部が、カミソリを格納するケースの受入れ部分に形成されている図である。
【００５８】
本明細書の全体を通じて与えられる全ての最大数値限定は、それよりも小さい数値限定を、そうしたより小さい数値限定があたかも本明細書に明確に記載されているものと同様にして包含するものと理解すべきである。本明細書の全体を通じて与えられる全ての最小の数値限定は、それよりも大きい全ての数値限定を、そうしたより大きい数値限定があたかも本明細書に明確に記載されているものと同様にして包含するものである。本明細書の全体を通じて与えられる全ての数値範囲は、そうしたより広い数値範囲に含まれる全てのより狭い数値範囲を、そうしたより狭い数値範囲の全てがあたかも本明細書に明確に記載されているものと同様にして包含するものである。
【００５９】
特に指定のない限り、本明細書の明細、実施例、及び請求の範囲における全ての部、比、及び百分率は、重量基準であり、全ての数値限定は、当該分野により提供される通常の程度の精度で使用される。
【００６０】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。全ての測定は、別途明記されない限り、２５℃で行われる。
【００６１】
「発明を実施するための形態」において引用する全ての文献は、その関連部分において参照として本明細書に組み込まれるものであるが、いずれの文献の引用も、こうした引用が本発明の先行技術であることを容認するものとして解釈すべきではない。この文書における用語のいずれかの意味又は定義が、参照によって組み込まれる文書におけるいずれかの意味又は定義と対立する限りにおいて、本文書においてその用語に与えられた意味又は定義を優先するものとする。    特に指定のない限り、冠詞の「ａ」、「ａｎ」、及び「ｔｈｅ」は「１つ以上」を意味する。
【００６２】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【図１】
2016507343.tif 000003
【図２ａ】
2016507343.tif 000004
【図２ｂ】
2016507343.tif 000005
【図２ｃ】
2016507343.tif 000006
【図２ｄ】
2016507343.tif 000007
【図２ｅ】
2016507343.tif 000008
【図３ａ】
2016507343.tif 000009
【図３ｂ】
2016507343.tif 000010
【図３ｃ】
2016507343.tif 000011
【図４】
2016507343.tif 000012
【図５ａ】
2016507343.tif 000013
【図５ｂ】
2016507343.tif 000014
【図６】
2016507343.tif 000015
【図７ａ】
2016507343.tif 000016
【図７ｂ】
2016507343.tif 000017
【図８ａ】
2016507343.tif 000018
【図８ｂ】
2016507343.tif 000019
【図９ａ】
2016507343.tif 000020
【図９ｂ】
2016507343.tif 000021
【図１０ａ】
2016507343.tif 000022
【図１０ｂ】
2016507343.tif 000023
【国際調査報告】
2016507343.tif 000024
2016507343.tif 000025
2016507343.tif 000026